(57)【要約】      （修正有）【課題】斬新的な布地で形成し結び帯飾りが簡易に挿入着脱ができる簡易帯を提供する。【解決手段】所定長さの布帯１の外側面上縁に帯飾り部材を挿通可能な筒状２を横長に配置して固着し、この外面側の側端に第１の面ファスナー５を配置するとともに他端の折り返し部を形成する末端に第２面ファスナーを配置してなり、この布帯１内側面に前記第１の面ファスナー５に係合し、巻締め位置を固定する細長い幅の第３の面ファスナー７とこの内側面の筒状体の近傍に折り返し部の第２の面ファスナーに係合する第４の面ファスナーを配置し、布帯１を胴体に捲き第２の面ファスナー部分を内側に折り込んで第４の面ファスナーとを係合して胴体に捲き締め固定する簡易帯の構成である。【選択図】図１
0003106441.tif 000002
【実用新案登録請求の範囲】
【請求項１】
所定長の布帯の外側面上縁に帯飾り部材を挿通可能な筒状を横長に配置して固着し、この外面側の側端に第１の面ファスナーを配置するとともに他端の折り返し部を形成する末端に第２面ファスナーを配置してなり、この布帯内側面に前記第１の面ファスナーに係合し、巻締め位置を固定する細長い幅の第３の面ファスナーとこの内側面の前記筒状体の近傍に前記折り返し部の第２の面ファスナーに係合する第４の面ファスナーを配置し、布帯を胴体に捲き前記第２の面ファスナー部分を内側に折り込んで前記第４の面ファスナーとを係合して胴体に捲き締め固定することを特徴とする簡易帯。
【請求項２】
前記布帯に固着した前記筒状体の筒中に蝶結び、文庫帯、矢の字結び、リボン結び、片結び羽根及び太鼓結びに形成した帯飾り部材から選ばれる１つを挿入し、この筒状体の両側に羽根部分を引き出してなることを特徴とする請求項１に記載の簡易帯。
【請求項３】
表面が布帯地と同じ絵柄を有し、内側は背面と同じ色合いになっており、全体が装着する帯飾りを支持する強度を備えるように固めに形成した布の末端を二捲して前記筒状体が形成され、他端を長く布帯幅に延長して布帯の内側に貼り付けて鋲着してなることを特徴とする請求項１または請求項２に記載の簡易帯。
【考案の詳細な説明】
【技術分野】
【０００１】
本考案は、振袖、浴衣などの和服を着用した人体の胴体に巻回して締着する簡易帯に関する。
【背景技術】
【０００２】
和服の着付けは難しく一人で着用するのが困難であった。そのため古くから種々の一人で簡易に締め付ける帯が開発されている。
太鼓部を固着してある帯状の長布の表裏両面の所定の位置に面ファスナーを配置し、この長布を人体の胴回りに一巻してそれぞれの面ファスナーを係合して軽装和服の帯として使用することが知られている。（特許文献１、特許文献２及び特許文献３において知られている。）
【０００３】
【特許文献１】実公平６−１９５２９号公報図１
【特許文献２】特許第３０４２６８７号公報図１
【特許文献３】実用新案登録第３０５６９７１号公報図１
【０００４】
特許文献１、特許文献２、特許文献３に記載される考案は、いずれも両側に羽根を張り出した太鼓部の帯である。このような帯では従来の形態とあまり変わらず、従来の延長上のものであった。特に、特許文献２の形態は、太鼓部が面ファスナーにより着脱できる形態である。しかし面ファスナーの位置が帯を締め付けるには折り目が無いために長時間の着用にはゆるくなるおそれがあった。
【考案の開示】
【考案が解決しようとする課題】
【０００５】
従来の簡易帯ではファスナーの取り付け位置調整ができなかった。また、帯飾りの取換え交換が簡易にできなかった。
本考案の課題は、帯の太鼓部の蝶結び、文庫結び、一文字結びどの形状の帯飾りを環境に応じて簡易に取り付けることができる簡易帯を提供するものである。
本考案の課題は、斬新的な布地で形成し結び帯飾りが簡易に挿入着脱ができる簡易帯を提供することである。
【課題を解決するための手段】
【０００６】
本考案の前記課題は、次のような構成によって達成することができる。
所定長さの布帯の外側面上縁に帯飾り部材を挿通可能な筒状を横長に配置して固着し、この外面側の側端に第１の面ファスナーを配置するとともに他端の折り返し部を形成する末端に第２面ファスナーを配置してなり、この布帯内側面に前記第１の面ファスナーに係合し、巻締め位置を固定する細長い幅の第３の面ファスナーとこの内側面の前記筒状体の近傍に前記折り返し部の第２の面ファスナーに係合する第４の面ファスナーを配置し、布帯を胴体に捲き前記第２の面ファスナー部分を内側に折り込んで前記第４の面ファスナーとを係合して胴体に捲き締め固定する簡易帯の構成である。
【０００７】
本考案の前記課題は、前記布帯に固着した前記筒状体の筒中に蝶結び、文庫帯、矢の字結び、リボン結び、片結び羽根及び太鼓結びに形成した帯飾り部材から選ばれる１つを挿入し、この筒状体の両側に羽根部分を引き出してなる簡易帯の構成によって達成できる。
【０００８】
本考案の前記課題は、表面が布帯地と同じ絵柄を有し、内側は背面と同じ色合いになっており、全体が装着する帯飾りを支持する強度を備えるように固めに形成した布の末端を二捲して前記筒状体が形成され、他端を長く布帯幅に延長して布帯の内側に貼り付けて鋲着してなる構成によって達成できる。
【考案の効果】
【０００９】
本考案の簡易帯は、挿入部に着脱可能な帯飾り部が筒状に形成されているから、布地によって太鼓飾り、一文字飾り、などの両側に羽根部を張り出した帯飾りを簡易に交換して装着できるから着用した着物地の絵柄や場所に応じた柄や形を選んで着用することができる。
しかも、布帯の長さの中央部分に筒状体を配置することにより、筒状体の筒内に帯飾りを挿入して独りで背中に帯飾り部分を位置させて、両端を前方に回して帯を胴回りに簡易に締着することができる。
また、本考案は帯飾りを装着する筒状体が二重まきにして強固の固着してあるから大き目の帯飾りを装着しても型崩れを生じない。
【考案を実施するための最良の形態】
【００１０】
本考案の簡易帯について図面に示す実施の形態に基づいて説明する。
図１は本考案簡易帯の帯飾りを装着していない実施形態の外側面図である。図２は図１の裏面図である。図３は本考案簡易帯の装着部の断面図である。図４は本考案簡易帯の装着部に装着する帯飾りの第１実施形態の斜視図である。図５は本考案簡易帯の帯飾りの第２実施形態の斜視図である。図６は本考案簡易帯の帯飾りの第３実施形態の斜視図である。図７は本考案簡易帯を使用した使用状態図である。
【００１１】
図１に示されるように本考案簡易帯は布帯１の中央部分（図面に示す実施形態では）に帯飾り９を挿入する筒状体を構成する筒部２を配置してある。布帯１の長手方向に沿ってこの筒部２が配置されるように装着部４を固着してある。この装着部４は先端部分を巻回して二巻きにし硬めに形成し、この他端側を延長して布帯１の内側に位置するように貼り付けて鋲着してある。この装着部４の筒部２が布帯１の上端縁に沿って固着してある。この装着部４の筒部２の表面は布帯１と同じ絵柄模様を備えている。
【００１２】
この筒部２内に挿入する帯飾り９としては従来知られている太鼓結び、蝶結び、文庫帯結び、一文字結び、片結びなどで、この帯飾り９を筒部２内に挿入できる。
簡易帯の布帯１の外側面には絵柄模様が施されている。この絵柄模様と同じ柄の布地によって帯飾り４を装着部３の筒部２内に挿入して両端に羽根を引き出している。
【００１３】
この布帯１の外側面の端に第１の面ファスナー５が接着してあり、他端側は折り曲げて裏地が表面に出るようになっている。この角度は特定しないが胴体に巻き締め付けた時は前面に斜め模様に呈するから好ましい外観を呈する角度で折り曲げるとよい。この折り曲げ部分３の外側面には折り込んだときに布帯１の第４の面ファスナー８に係合するようになっている。第１の面ファスナー５は内側面に設けた第３の面ファスナー７に係合して布帯１が胴体に締め付けられるようになっている。
【００１４】
図面に示す実施形態では外側面に配置した第１の面ファスナー５が幅広く太く配設してあり、内側の第３の面ファスナー７に係合するようになっている。この固着位置は調節できる。一方、折り込んだ外側面の第２の面ファスナー６は装着部４の位置近辺に設けた第４の面ファスナー８に係着するように布帯１を胴体に巻いたときに位置しており、この第２の面ファスナー６部分を内側に折り込んで係着させる。
【００１５】
装着部４の筒部２を筒状に形成してあるが、この形状は円筒に限定されるものでもない。帯飾り９が確実に固着される形状ならばよい。
この筒状体を形成する筒部２が布帯１に鋲着してあるから位置ずれを生じない。しかもこの筒部２に装着する帯飾りの位置は任意に変更できる。しかも筒部２を硬めに形成してあるから型崩れを生じない。
【図面の簡単な説明】
【００１６】
【図１】本考案簡易帯の帯飾りを装着していない一実施形態の外側面図である。
【図２】図１の裏面図である。
【図３】本考案簡易帯の装着部の断面図である。
【図４】本考案簡易帯の装着部に装着する帯飾りの第１実施形態の斜視図である。
【図５】本考案簡易帯の帯飾りの第２実施形態の斜視図である。
【図６】本考案簡易帯の帯飾りの第３実施形態の斜視図である。
【図７】本考案簡易帯を使用した使用状態図である。
【符号の説明】
【００１７】
１      布帯
２      筒部  
３      装着部
４      帯飾り
５      第１の面ファスナー
６      第２の面ファスナー
７      第３の面ファスナー
８      第４の面ファスナー
【図１】
0003106441.tif 000003
【図２】
0003106441.tif 000004
【図３】
0003106441.tif 000005
【図４】
0003106441.tif 000006
【図５】
0003106441.tif 000007
【図６】
0003106441.tif 000008
【図７】
0003106441.tif 000009